(57)【要約】      （修正有）【課題】光コネクタを光ポートから脱着する際に、外部からの不安定な光の入力を防止し、容易に作業を行う。【解決手段】ポート接続窓１１に設けられ、ケース１に沿ってスライドすることで、光ポート２１を外部に対して露出／遮蔽するシャッタ１２２と、シャッタ１２２が閉状態の場合に接触する一対の第１の接点１２５ａ，１２５ｂと、シャッタ１２２が開状態の場合に接触する一対の第２の接点１２６ａ，１２６ｂと、第１の接点１２５ａ，１２５ｂの接触状態および第２の接点１２６ａ，１２６ｂの接触状態を検出することで、光ポート２１に対する光コネクタ３１の脱着状態を判断する検出手段１２１と、検出手段１２１による判断結果に応じて当該光ポートに対する電源供給を切替える電源回路とを備えた。【選択図】図１
2013205594.tif 000002
【特許請求の範囲】
【請求項１】
ケースに設けられたポート接続窓を介して、光コネクタが脱着される光ポートの遮光機構において、
前記ポート接続窓に設けられ、前記ケースに沿ってスライドすることで、前記光ポートを外部に対して露出／遮蔽するシャッタと、
前記シャッタが閉状態の場合に接触する一対の第１の接点と、
前記シャッタが開状態の場合に接触する一対の第２の接点と、
前記第１の接点の接触状態および前記第２の接点の接触状態を検出することで、前記光ポートに対する前記光コネクタの脱着状態を判断する検出手段と、
前記検出手段による判断結果に応じて当該光ポートを介した送受信処理を停止／開始させる切替手段と
を備えたことを特徴とする遮光機構。
【請求項２】
前記第２の接点は、前記光コネクタの取り外しが開始されることで、当該光コネクタの把持部と嵌合部間の段差により非接触状態へと変化する
ことを特徴とする請求項１記載の遮光機構。
【請求項３】
前記検出手段は、前記第１の接点が非接触状態に変化し、かつ、前記第２の接点が接触状態に変化した場合に、前記光コネクタの取り付け開始と判断し、前記第２の接点が接触維持状態から非接触状態に変化した場合には、前記光コネクタの取り外し開始と判断し、
前記切替手段は、前記検出手段により前記光コネクタの取り付け開始と判断された場合には、所定時間経過後に前記光ポートを介した送受信処理を開始させ、前記光コネクタの取り外し開始と判断された場合には、前記光ポートを介した送受信処理を停止させる
ことを特徴とする請求項２記載の遮光機構。
【発明の詳細な説明】
【技術分野】
【０００１】
この発明は、光ケーブルの光コネクタが脱着される光ポートの遮光機構に関するものである。
【背景技術】
【０００２】
従来から、コントローラと入出力装置とを独立に遠隔配置する場合、ノイズの影響を取り除くため光ケーブルを用いて接続し、光通信を行っている（例えば特許文献１参照）。一方、光ケーブルの光コネクタが脱着される光ポートは外部に露出した状態であり、この部位に塵、埃等が付着するとシステムとしての特性が劣化する恐れがある。そこで、不使用の光ポートに対しては、キャップを取り付けて、外部から物理的に遮蔽するように構成されている（例えば特許文献２参照）。
【先行技術文献】
【特許文献】
【０００３】
【特許文献１】特開平１１−２０３５８４号公報
【特許文献２】特開平９−１０５８４０号公報
【発明の概要】
【発明が解決しようとする課題】
【０００４】
上述したように、従来では、不使用の光ポートに対してキャップをすることで、外部から物理的に遮蔽するようにしていた。一方、光通信においては、外部からの不安定な光が入力されることでシステムに影響を及ぼす場合がある。しかしながら、キャップによる遮蔽では、システム稼動中（オンライン）に光コネクタを脱着する場合に、外部からの不安定な光が入力されてしまう恐れがあるという課題があった。例えば、光モジュールがキャビネットの中に配置されている場合等、暗い場所で作業のために点灯した電灯の光等が入力してしまう恐れがある。そのため、従来では、システム稼働中での光コネクタの脱着は禁止とし、作業を行う際には、光モジュール全体を取り外してオフラインで行うなどによって対策を行っている。
【０００５】
この発明は、上記のような課題を解決するためになされたもので、光コネクタを光ポートから脱着する際に、外部からの不安定な光の入力を防止することができ、容易に作業を行うことができる遮光機構を提供することを目的としている。
【課題を解決するための手段】
【０００６】
この発明に係る遮光機構は、ポート接続窓に設けられ、ケースに沿ってスライドすることで、光ポートを外部に対して露出／遮蔽するシャッタと、シャッタが閉状態の場合に接触する一対の第１の接点と、シャッタが開状態の場合に接触する一対の第２の接点と、第１の接点の接触状態および第２の接点の接触状態を検出することで、光ポートに対する光コネクタの脱着状態を判断する検出手段と、検出手段による判断結果に応じて当該光ポートを介した送受信処理を停止／開始させる切替手段とを備えた
【発明の効果】
【０００７】
この発明によれば、上記のように構成したので、光コネクタを光ポートから脱着する際に、外部からの不安定な光の入力を防止でき、容易に作業を行うことができる。また、不使用の光ポートを介した送受信処理を停止させることで、低消費電力化を図ることが可能となる。
【図面の簡単な説明】
【０００８】
【図１】この発明の実施の形態１に係る遮光機構を備えた光モジュールの構成を示す断面図である（遮光機構の光コネクタの取り付け状態を示す図である）。
【図２】この発明の実施の形態１における回路基板の構成を示す図である。
【図３】この発明の実施の形態１に係る遮光機構の動作を示すフローチャートである。
【図４】この発明の実施の形態１に係る遮光機構の閉状態を示す断面図である。
【図５】この発明の実施の形態１に係る遮光機構の開状態を示す断面図である。
【図６】この発明の実施の形態１に係る遮光機構の光コネクタの取り外し開始直後の状態を示す断面図である。
【図７】この発明の実施の形態１に係る遮光機構の開閉状態を示すフロント側からの斜視図である。
【発明を実施するための形態】
【０００９】
以下、この発明の実施の形態について図面を参照しながら詳細に説明する。
実施の形態１．
図１はこの発明の実施の形態１に係る遮光機構１２を備えた光モジュールの構成を示す図であり、図２は回路基板２の構成を示す図である。なお、図１では、遮光機構１２の構成を明確に示すため、図２に示す回路基板２のうち、１つの光ポート２１と、制御回路２３に含まれる検出手段１２１のみを図示している。
【００１０】
光モジュールは、コントローラ（不図示）に実装され、独立に遠隔配置されたコントローラと入出力装置（不図示）とを光ケーブル３を用いて接続するものである。この光モジュールは、図１に示すように、ケース１および回路基板２から構成されている。ケース１には、光ケーブル３の光コネクタ３１を挿入可能とするポート接続窓１１が設けられている。また、回路基板２には、ポート接続窓１１を介して光コネクタ３１が脱着される光ポート２１が設けられている。そして、各ポート接続窓１１には、光コネクタ３１を光ポート２１から脱着する際に、外部からの不安定な光が入力されることを防止する遮光機構１２が設けられている。
【００１１】
また、回路基板２は、図２に示すように、電源回路（切替手段）２２および制御回路２３を有している。
電源回路２２は、各光ポート２１に対して電源供給を行うものである。この電源回路２２は、制御回路部（検出手段１２１）２３による制御に応じて各光ポート２１に対する電源供給のＯＮ／ＯＦＦの切替えを行う。
【００１２】
制御回路２３は、光モジュールの動作を制御するものである。この制御回路２３は、光ポート２１に接続された光ケーブル３を介して入出力装置から入力された光信号やメタルケーブル４を介してコントローラから入力された電気信号に対して、波形整形や、送出のタイミング修正、マルチプレクサ処理等を行う機能を有している。また、制御回路２３は、遮光機構１２の後述する第１の接点１２５ａ，１２５ｂの接触状態および第２の接点１２６ａ，１２６ｂの接触状態を検出することで、対応する光ポート２１に対する光コネクタ３１の脱着状態を判断し、電源回路２２に対して当該光ポート２１への電源供給のＯＮ／ＯＦＦを切替えるよう指示する機能（検出手段１２１）も有している。また、検出手段１２１は、光ポート２１に対する光コネクタ３１の脱着状態に基づいて、制御回路２３に対して光ポート２１への信号処理の開始／停止を切替えるよう指示する機能も有している。なお、検出手段１２１および切替手段は、遮光機構１２の構成要素の１つである。
【００１３】
そして、遮光機構１２には、図１に示すように、ポート接続窓１１に設けられ、ケース１の外壁面に沿って上下にスライドすることで、光ポート２１を外部に対して露出／遮蔽するシャッタ１２２が設けられている。このシャッタ１２２の外面には、ユーザがシャッタ１２２をスライドさせるためのツマミ部１２３が設けられている。また、シャッタ１２２の内面には、略Ｌ字状に構成された接触片１２４が設けられている。この接触片１２４の下端部およびケース１のポート接続窓１１下側には、シャッタ１２２が閉状態の場合に接触する一対の第１の接点１２５ａ，１２５ｂが設けられている。また、接触片１２４の上端部およびケース１のポート接続窓１１上側には、シャッタ１２２が開状態の場合に接触する一対の第２の接点１２６ａ，１２６ｂが設けられている。この第１の接点１２５ａ，１２５ｂの接触状態および第２の接点１２６ａ，１２６ｂの接触状態は検出手段１２１により検出される。
【００１４】
また、接触片１２４は、第１のバネ１２７と接触することにより、シャッタ１２２を閉じる方向（下方向）に付勢される。また、ケース１の第２の接点１２６ｂには、当該第２の接点１２６ｂを、接触片１２４の第２の接点１２６ａに接触させる方向（下方向）に付勢する第２のバネ１２８が設けられている。また、図６に示すように、接触片１２４の第１の接点１２５ａが光コネクタ３１の嵌合部３１１に接触している場合には、第２の接点１２６ａ，１２６ｂが非接触状態となるようにその位置関係やバネ力等が調整されている。
さらに、シャッタ１２２の内面およびケース１の外壁面には、シャッタ１２２が閉状態の場合に係合し、閉状態を維持させる一対の係合部１２９ａ，１２９ｂが設けられている。
【００１５】
次に、上記のように構成された遮光機構１２の動作について、図１〜７を参照しながら説明する。
まず、初期状態（光コネクタ３１を取り付けていない状態）では、図４，７（ａ）に示すように、シャッタ１２２は閉状態となっており、第１の接点１２５ａ，１２５ｂは接触状態（短絡）となっている。
この場合、検出手段１２１は、図３に示すように、第１の接点１２５ａ，１２５ｂが接触状態であることを検出することで、シャッタ１２２が閉状態であり、対応する光ポート２１が不使用であると判断する（ステップＳＴ１）。そして、検出手段１２１は、電源回路２２に対し、当該光ポート２１に対する電源供給をＯＦＦとするよう指示を行い、また、制御回路２３に対し、当該光ポート２１に関する信号処理を停止するよう指示を行っている（ステップＳＴ２）。これにより不使用の光ポート２１に対する電力を削減することができ、低消費電力化を図ることができる。
【００１６】
次いで、光ケーブル３の光コネクタ３１を光ポート２１に取り付けるため、図７（ｂ）に示すように、ユーザにより、シャッタ１２２が上側にスライドされる。これにより、図５に示すように、第１の接点１２５ａ，１２５ｂが非接触状態に変化し、第２の接点１２６ａ，１２６ｂが接触状態に変化する。そして、第１のバネ１２７による反発力によりシャッタ１２２が閉じる方向に付勢されることで、第２の接点１２６ａ，１２６ｂは再び非接触状態となる。
この場合、検出手段１２１は、図３に示すように、第１の接点１２５ａ，１２５ｂが非接触状態に変化し、かつ、第２の接点１２６ａ，１２６ｂが接触状態に変化したことを検出することで、シャッタ１２２が開いたと判断する（ステップＳＴ３）。そして、検出手段１２１は、保持するタイマ（不図示）を起動する（ステップＳＴ４）。なお、この段階では、まだ、光ポート２１は電気的に有効ではないため、外部からの不安定な光が入力される恐れはなく、システム稼働中であっても誤作動を起こす恐れはない。
【００１７】
次いで、シャッタ１２２が完全に開いた状態で、ユーザにより、光コネクタ３１が光ポート２１に装着される。これにより、図１に示すように、第２の接点１２６ａ，１２６ｂが接触状態で維持される。すなわち、接触片１２４の第１の接点１２５ａが光コネクタ３１の把持部３１２に接触し、ケース１の第２の接点１２６ｂが、第２のバネ１２８により下方向に付勢されることで接触片１２４の第２の接点１２６ａに押し付けられて接触する。
この場合、検出手段１２１は、図３に示すように、タイマ起動から所定時間経過までの間に、第２の接点１２６ａ，１２６ｂが接触状態で維持されたことを検出することで、光コネクタ３１が光ポート２１に装着されたと判断する（ステップＳＴ５）。なお、所定時間として、シャッタ１２２を開いた後、光コネクタ３１を光ポート２１に差し込むまでに要する時間以上確保するものとする（例えば２分）。そして、検出手段１２１は、電源回路２２に対し、タイマ起動から所定時間経過後に、当該光ポート２１に対する電源供給をＯＮとするよう指示を行い、また、制御回路２３に対して、当該光ポート２１に関する信号処理を開始するよう指示を行う（ステップＳＴ６）。これにより、この光ポート２１が電気的に有効になり、通信処理を開始可能とすることができる。
【００１８】
次いで、ユーザにより光コネクタ３１の光ポート２１からの取り外しが開始されると、図６に示すように、接触片１２４の第１の接点１２５ａの接触位置が光コネクタ３１の把持部３１２から嵌合部３１１にずれる。そのため、把持部３１２と嵌合部３１１との段差によって当該第１の接点１２５ａが下方向に落ち込み、第２の接点１２６ａ，１２６ｂが非接触状態に変化する。
この場合、検出手段１２１は、第２の接点１２６ａ，１２６ｂが非接触状態に変化したことを検出することで、光コネクタ３１の光ポート２１からの取り外しが開始されたと判断する（ステップＳＴ７）。そして、検出手段１２１は、電源回路２２に対し、当該光ポート２１に対する電源供給をＯＦＦにするよう指示を行い、また、制御回路２３に対して、当該光ポート２１に関する信号処理を中止するように指示を行う（ステップＳＴ８）。これにより、光ポート２１が電気的に無効となるため、光コネクタ３１の取り外しによって、外部からの不安定な光が入力される恐れはなく、システム稼働中であっても誤作動を起こす恐れはない。また、不使用の光ポート２１に対する電力を削減することができ、低消費電力化を図ることができる。
【００１９】
そして、ユーザにより光コネクタ３１が光ポート２１から完全に取り外された後、シャッタ１２２は閉状態となり、第１の接点１２５ａ，１２５ｂが接触状態（短絡）となって、図４，７（ａ）に示す状態に戻る。
【００２０】
以上のように、この実施の形態１によれば、ポート接続窓１１に、ケース１に沿ってスライドすることで、光ポート２１を外部に対して露出／遮蔽するシャッタ１２２を設け、シャッタ１２２が閉状態の場合に接触する一対の第１の接点１２５ａ，１２５ｂと、シャッタ１２２が開状態の場合に接触する一対の第２の接点１２６ａ，１２６ｂと、第１の接点１２５ａ，１２５ｂの接触状態および第２の接点１２６ａ，１２６ｂの接触状態を検出することで、光ポート２１に対する光コネクタ３１の脱着状態を判断する検出手段１２１と、検出手段１２１による判断結果に応じて当該光ポート２１への電源供給を切替える電源回路２２とを設けるように構成したので、光コネクタ３１を光ポート２１から脱着する際に、外部からの不安定な光の入力を防止でき、容易に作業を行うことができる。また、不使用の光ポート２１に対して電力供給を停止させることで、低消費電力化やケース１内部の温度上昇を抑えたりすることができ、長寿命化を図ることが可能となる。
【００２１】
なお、実施の形態１では、コントローラに実装され、独立に遠隔配置されたコントローラと入出力装置とを光ケーブル３を用いて接続する光モジュールに対して、本発明の遮光機構１２を適用した場合について示したが、これに限るものではなく、光ケーブルの光コネクタが脱着される光ポートを有する光モジュールであればよく、同様に本発明の遮光機構１２を適用可能である。
【００２２】
また、実施の形態１では、電源回路（切替手段）２２が、不使用の光ポート２１に対する電源供給をＯＦＦとすることで、外部からの不安定な光の入力を防止する場合について示したが、これに限るものではなく、切替手段は光ポート２１を介した送受信処理を開始／停止できる構成であればよい。例えば、不使用の光ポート２１に関する送受信回路の動作（クロック）を停止させるようにしてもよい。なお、この場合、光ポート２１の送信部分では光を発光しないように動作を停止させる。
【００２３】
また、本願発明はその発明の範囲内において、実施の形態の任意の構成要素の変形、もしくは実施の形態の任意の構成要素の省略が可能である。
【符号の説明】
【００２４】
１  ケース
２  回路基板
３  光ケーブル
４  メタルケーブル
１１  ポート接続窓
１２  遮光機構
２１  光ポート
２２  電源回路（切替手段）
２３  制御回路
３１  光コネクタ
１２１  検出手段
１２２  シャッタ
１２３  ツマミ部
１２４  接触片
１２５ａ，１２５ｂ  第１の接点
１２６ａ，１２６ｂ  第２の接点
１２７  第１のバネ
１２８  第２のバネ
１２９ａ，１２９ｂ  係合部
３１１  嵌合部
３１２  把持部
【図１】
2013205594.tif 000003
【図２】
2013205594.tif 000004
【図３】
2013205594.tif 000005
【図４】
2013205594.tif 000006
【図５】
2013205594.tif 000007
【図６】
2013205594.tif 000008
【図７】
2013205594.tif 000009